(57)【特許請求の範囲】
【請求項１】
両側板の前方端部に前板を設け、前記両側板のそれぞれの後方において、前記前板の高さよりも高い寸法の後板を斜めに設け、前記前板の下方端部から下方に向かって底板を斜めに設け、かつ上面を開口すると共に、前記後板の下部に空間部を形成した塗料タンクと、前記空間部に前後方向に水平動可能に配設した少なくとも１個の切欠部を設けた開閉板部からなる水平シャッターと、垂直板面部を前記水平シャッタの開閉板部に対向させて配設した前記垂直板面部と水平板面部とを有するほぼ断面逆Ｌ字状のリブシャッタと、前記水平シャッタに固定した水平ジョイント板と、前記ほぼ断面逆Ｌ字状のリブシャッタに連結して設けたほぼ断面逆Ｌ字状のリブシャッタを作動させるための第１の作動手段と、前記水平ジョイント板に連結して設けた前記水平シャッタを作動させるための第２の作動手段とを具備したスラントリブ施工塗装装置において、前記第１の作動手段は、エアシリンダと、このエアシリンダの作動に連動するギヤと、このギヤに噛み合うラックと、このラックが固定されているスライドピンとより構成され、このスライドピンの下方が、ほぼ断面逆Ｌ字状のリブシャッタの水平板面部に枢着されており、前記第２の作動手段は、エアシリンダと、このエアシリンダの作動に連動する長さの異なる一対の水平シャッタ用スライドバーと、これら一対の水平シャッタ用スライドバーを水平スライド自在にそれぞれ回転支持させる支持部材とより構成され、これら一対の水平シャッタ用スライドバーが、水平シャッタに固定されていることを特徴とするスラントリブ施工塗装装置。
【発明の詳細な説明】
【０００１】
【産業上の利用分野】
本発明は、道路路面に溶融した塗料を塗布しつつ、所要のライン標示およびリブ標示を同時に行い得る道路標示において、特に斜めリブ標示ライン施工を確実にしてスムーズに行い得るスラントリブ施工塗装装置に関するものである。
【０００２】
【従来の技術】
従来の接地型道路標示において、ライン上に所要形状のリブを突出せしめたリブ付きライン標示を行うものとしては、例えば実開平３−１０３３１０号公報、実開平５−２２６１０号公報のごときものがある。
【０００３】
【発明が解決しようとする課題】
ところが、上述したような従来技術においては、標示ラインにおけるリブは、いずれもライン上に施工方向に対して直角に塗料を塗布したものであり、リブをライン上に施工方向に対して斜めに施工するようにしたものではない。
【０００４】
【課題を解決するための手段】
本発明のスラントリブ施工塗装装置は、上記課題を解決することを目的とし、両側板の前方端部に前板を設け、前記両側板のそれぞれの後方において、前記前板の高さよりも高い寸法の後板を斜めに設け、前記前板の下方端部から下方に向かって底板を斜めに設け、かつ上面を開口すると共に、前記後板の下部に空間部を形成した塗料タンクと、前記空間部に前後方向に水平動可能に配設した少なくとも１個の切欠部を設けた開閉板部からなる水平シャッタと、垂直板面部を前記水平シャッタの開閉板部に対向させて配設した前記垂直板面部と水平板面部とを有するほぼ断面逆Ｌ字状のリブシャッタと、前記水平シャッタに固定した水平ジョイント板と、前記ほぼ断面逆Ｌ字状のリブシャッタに連結して設けたほぼ断面逆Ｌ字状のリブシャッタを作動させるための第１の作動手段と、前記水平ジョイント板に連結して設けた前記水平シャッタを作動させるための第２の作動手段とを具備したことを特徴とする。
【０００５】
また、本発明のスラントリブ施工塗装装置において、前記第１の作動手段は、エァシリンダと、このエァシリンダの作動に連動するギヤと、このギヤに噛み合うラックと、このラックが固定されているスライドピンとより構成され、このスライドピンの下方が、ほぼ断面逆Ｌ字状のリブシャッタの水平板面部に枢着されていることを特徴とする。
【０００６】
また、本発明のスラントリブ施工塗装装置において、前記第２の作動手段は、エァシリンダと、このエァシリンダの作動に連動する長さの異なる一対の水平シャッタ用スライドバーと、これら一対の水平シャッタ用スライドバーを水平スライド自在にそれぞれ回転支持させる支持部材とより構成され、これら一対の水平シャッタ用スライドバーが、水平シャッタに固定されていることを特徴とする。
【０００７】
【実施例】
図１は、本発明に係わるスラントリブ施工塗装装置の好適な一実施例を示す平面図、図２は、図１における矢視Ａ−Ａ′線に沿って示す一部切欠断面図、図３は、同分解斜視図、図４（ａ），（ｂ），（ａ′），（ｂ′）は、斜めリブ標示ラインの各例を示す一部切欠斜視図、図５は、図４（ａ），（ｂ）における矢視ａ−ａ′線に沿って示す一部拡大断面図である。
【０００８】
図１〜図３において、１は、施工時塗料Ａを供給し、溜め置く塗料タンクである。この塗料タンク１は、上面が開口しており、両側には、施工方向に対し、後端部側の長さがそれぞれ異なる側板１ａ，１ｂ（１ａ＜１ｂ）がそれぞれ形成されている。前方には、前板１ｃが形成されており、また、後方には、前記側板１ａ，１ｂの後端部よりそれぞれ若干内側位置に、前記前板１ｃの高さよりも高い寸法の後板１ｄが斜めに形成されている。また、前記前板１ｃの下端には、底板１ｅが後面下方に向かって斜めに形成されており、さらに、この底板１ｅの下方端部には、分離底板２が取付ねじ２ａにより着脱可能に取り付けられている。
【０００９】
前記後板１ｄの下部には、空間部１ｄ′が形成されている。そして、この空間部１ｄ′には、開閉板部３ａからなる水平シャッタ３が位置しており、前後方向に水平動可能に取り付けられている。この開閉板部３ａには、その両側に２個の切欠部３ｂが分割形成されている。
なお、この切欠部３ｂの個数は、特に制限がなく、必要に応じて１個または３個以上であっても良い。
【００１０】
４は、垂直板面部４ａと水平板面部４ｂとを有するほぼ断面逆Ｌ字状のリブシャッタであり、このほぼ断面逆Ｌ字状のリブシャッタ４は、この垂直板面部４ａを、前記水平シャッタ３の開閉板部３ａに対向させて配設されている。
前記水平板面部４ｂには、その面上に前後方向を長幅とした２個の長孔４ｃが穿設されており、その後方端に突出部４ｄが形成されている。
【００１１】
５は、前記水平シャッタ３の上部にねじなどで固定した水平ジョイント板である。この水平ジョイント板５には、その面上に前記２個の長孔４ｃに対応する位置に、前後方向に対して横方向を長幅とした２個の長孔５ａが穿設されており、その後方部に設けたねじ孔５ｂに、斜めリブ標示用シャッタ開閉度調整ねじ５ｃが上下方向に昇降可能に螺着されている。前記ほぼ断面逆Ｌ字状のリブシャッタ４の作動時、このリブシャッタ４の突出部４ｄは、斜めリブ標示用シャッタ開閉度調整ねじ５ｃの下端に当たるようになっている。
また、前記水平ジョイント板５の後方部には、所定の間隔をもって一対のエァシリンダ受け体６が立設されている。
【００１２】
７は、リンクバーで、８は、ギヤ軸であり、このギヤ軸８には、２個のギヤ９がリンクバー７の両方に固設されている。前記ギヤ軸８の両端８ａは、前記一対のエァシリンダ受け体６に設けた軸孔６ａに、ベアリング１０を介して軸支されている。
１１は、連結ホルダで、この連結ホルダ１１は、前記リンクバー７に設けた連結孔７ａおよび連結軸１１ａを介して前記一対のエァシリンダ受け体６に取り付けられている。
これら一対のエァシリンダ受け体６の上部には、リブシャッタ用エァシリンダ１２が固定されている。さらに、このリブシャッタ用エァシリンダ１２のロッド１２ａは、前記連結ホルダ１１の上部に固定されている。
【００１３】
１３は、一対のスライドピンで、これら一対のスライドピン１３の上方には、前記ギヤ９に噛み合うようにラック１４がそれぞれ固定されている。また、これら一対のスライドピン１３の上端は、連結板１５にねじで固定されている。
そして、これら一対のスライドピン１３は、前記水平ジョイント板５の長孔５ａおよびほぼ断面逆Ｌ字状のリブシャッタ４の長孔４ｃにそれぞれ挿通させ、この長孔４ｃより突出する下方ねじ部１３ａにナット１３ｂを締結させて、前記ほぼ断面逆Ｌ字状のリブシャッタ４の水平板面部４ｂにそれぞれ枢着されている。このように、２個のギヤ９および一対のスライドピン１３を使用することにより、前記ほぼ断面逆Ｌ字状のリブシャッタ４は、左右に傾くことなくスムーズに上下動作する。
【００１４】
１６ａ，１６ｂは、長さの異なる（１６ａ＜１６ｂ）水平シャッタ用スライドバーである。
一方の水平シャッタ用スライドバー１６ａの一端は、連結バー１７の一端１７ａにねじにより固定されており、スライドバー１６ａの他端は、前記水平ジョイント板５の一端５ｄにねじにより固定されている。
他方の水平シャッタ用スライドバー１６ｂの一端は、連結バー１７の他端１７ｂにねじにより固定されており、スライドバー１６ｂの他端は、前記水平ジョイント板５の他端５ｅにねじにより固定されている。
【００１５】
一方の水平シャッタ用スライドバー１６ａのほぼ前方寄り中間部は、前記塗料タンク１の一方の側板１ａに設けた一対のコロ用コマ２３間に、水平スライド自在に支持されている。このコロ用コマ２３は、ピン２５に取り付けたベヤリング２４を介して回転自在に取り付けられている。
他方の水平シャッタ用スライドバー１６ｂのほぼ前方寄り中間部は、前記塗料タンク１の一方の側板１ｂに設けた一対のコロ用コマ２３ａ間に、水平スライド自在に支持されている。このコロ用コマ２３ａは、ピン２５ａに取り付けたベヤリング２４ａを介して回転自在に取り付けられている。
【００１６】
前記連結バー１７のほぼ中央には、シリンダ連結板１８が立設されており、このシリンダ連結板１８の上部に開閉用エァシリンダ２１のロッド２１ａが固定されている。
前記開閉用エァシリンダ２１は、エァシリンダブラケット２０に取り付けられ、しかも、このエァシリンダブラケット２０は、前記塗料タンク１の前板１ｃに固定された保持部１９に取り付けられている。
この保持部１９の先端シャフト１９ａには、自在継手２２が固定されており、この自在継手２２には、施工機側のホルダ２７が固定される。
なお、２６，２６ａは、前記塗料タンク１の両側板１ａ，１ｂのそれぞれの下端部に取り付けたライン標示面規制用エッジである。
【００１７】
次に、本発明に係わるスラントリブ施工塗装装置の好適な一実施例の作用について説明する。
フラットライン標示またはスラントリブ標示施工時、前記塗料タンク１内に塗料Ａを供給せしめた本装置を、施工機（図示せず）にホルダ２７を介して連結させ、開閉用エァシリンダ２１を作動して、水平シャッタ３を開き、前記施工機を図２に示す路面ＧＬ上のＸ印方向に移動させると、前記分離底板２の先端と前記水平シャッタ３の開閉板部３ａの先端との間の間隙から塗料が流出して、路面上にフラットライン標示３０が形成される。
【００１８】
ここで、このフラットライン標示３０に続いて、図４（ａ）に示すように所要のスラントリブ標示３１を任意の間隔をもって２個づつ斜めに並べて形成させる場合は、まず、前記開閉用エァシリンダ２１を作動させてから、リブシャッタ用エァシリンダ１２を作動させると、このリブシャッタ用エァシリンダ１２に連動して回動するギヤ９と噛み合うラック１４の上下動によって、このギヤ９が固定されているスライドピン１３が上下動する。さらに、このスライドピン１３の上下動によって、このスライドピン１３の下部に支持されているリブシャッタ４の垂直板面部４ａと水平板面部４ｂとが上下動する。
【００１９】
前記リブシャッタ４の垂直板面部４ａは、前記水平シャッタ３の開閉板部３ａに形成した切欠部３ｂに対向して上下動するため、前記垂直板面部４ａが上昇している間中は、この切欠部３ｂから塗料が流出して、図５の断面図に示すようなスラントリブ標示３１が、フラットライン標示３０に続いて形成される。スラントリブ標示３１の斜め角度は、図４に示すように、その施工範囲が、α゜＝β゜＝ほぼ４５°〜ほぼ８５°であることが望ましいが、これに限定されるものでない。
【００２０】
上述のような作動によれば、図５の断面図において示すように、前記スラントリブ標示３１の前後の立ち上がり部３１ａと立ち下がり部３１ｂとには、それぞれテーパーが形成される。
前記立ち上がり部３１ａと立ち下がり部３１ｂとは、ギヤ９とラック１４との噛み合いで、リブシャッタ用エァシリンダ１２の作動速度に対して、リブシャッタ４の遅れを機械的、かつ同じ繰り返しで作動する構成で得られる。
従って、前記テーパーによって反射面積が向上し、より高輝度化される。
なお、前記水平シャッタ３の開閉板部３ａに形成される切欠部３ｂが１個の場合は、スラントリブ標示３１は、図４（ｂ）に示すように形成される。
また、塗料タンク１の塗料流出口を反対向きに形成すると、図４（ａ′），
（ｂ′）に示すスラントリブ標示３１が得られる。
【００２１】
【発明の効果】
本発明のスラントリブ施工塗装装置によれば、両側板の前方端部に前板を設け、前記両側板のそれぞれの後方において、前記前板の高さよりも高い寸法の後板を斜めに設け、前記前板の下方端部から下方に向かって底板を斜めに設け、かつ上面を開口すると共に、前記後板の下部に空間部を形成した塗料タンクと、前記空間部に前後方向に水平動可能に配設した少なくとも１個の切欠部を設けた開閉板部からなる水平シャッタと、垂直板面部を前記水平シャッタの開閉板部に対向させて配設した前記垂直板面部と水平板面部とを有するほぼ断面逆Ｌ字状のリブシャッタと、前記水平シャッタに固定した水平ジョイント板と、前記ほぼ断面逆Ｌ字状のリブシャッタに連結して設けたほぼ断面逆Ｌ字状のリブシャッタを作動させるための第１の作動手段と、前記水平ジョイント板に連結して設けた前記水平シャッタを作動させるための第２の作動手段とを具備したので、構造が簡単となり、前記第１の作動手段および第２の作動手段の組み合わせにより、スラントリブ標示を路面上に正確な動作で容易にして、スムーズに確実に施工させることができるなどの効果を有する。
また、施工される前記スラントリブ標示の前後の立ち上がり部と立ち下がり部とに、簡単な動作で確実にそれぞれテーパーを形成させることができるなどの効果を有する。
【図面の簡単な説明】
【図１】図１は、本発明に係わるスラントリブ施工塗装装置の好適な一実施例を示す平面図である。
【図２】図１における矢視Ａ−Ａ′線に沿って示す一部切欠断面図である。
【図３】同分解斜視図である。
【図４】（ａ）、（ａ′）は、斜めリブ標示ラインの一例を示す一部切欠斜視図である。
（ｂ），（ｂ′）は、斜めリブ標示ラインの他の例を示す一部切欠斜視図である。
【図５】図４（ａ）における矢視ａ−ａ′線に沿って示す一部拡大断面図である。
【符号の説明】
１    塗料タンク
１ａ  側板
１ｂ  側板
１ｃ  前板
１ｄ  後板
１ｄ′空間部
１ｅ  底板
２    分離底板
２ａ  取付ねじ
３    水平シャッタ
３ａ  開閉板部
３ｂ  切欠部
４    ほぼ断面逆Ｌ字状のリブシャッタ
４ａ  垂直板面部
４ｂ  水平板面部
４ｃ  長孔
４ｄ  突出部
５    水平ジョイント板
５ａ  長孔
５ｂ  ねじ孔
５ｃ  斜めリブ標示用シャッタ開閉度調整ねじ
５ｄ  水平ジョイント板５の一端
６    エァシリンダ受け体
６ａ  軸孔
７    リンクバー
７ａ  連結孔
８    ギヤ軸
８ａ  軸端
９    ギヤ
１０  ベアリング
１１  連結ホルダ
１１ａ連結軸
１２  リブシャッタ用エァシリンダ
１２ａロッド
１３  スライドピン
１３ａ下方ねじ部
１３ｂナット
１４  ラック
１５  連結板
１６ａ水平シャッタ用スライドバー
１６ｂ水平シャッタ用スライドバー
１７  連結バー
１７ａ連結バー１７の一端
１７ｂ連結バー１７の他端
１８  シリンダ連結板
１９  保持部
１９ａ先端シャフト
２０  エァシリンダブラケット
２１  開閉用エァシリンダ
２１ａロッド
２２  自在継手
２３  コロ用コマ
２３ａコロ用コマ
２４  ベヤリング
２４ａベヤリング
２５  ピン
２５ａピン
２６  ライン標示面規制用エッジ
２６ａライン標示面規制用エッジ
２７  施工機側ホルダ
３０  フラットライン標示
３１  スラントリブ標示
３１ａ立ち上がり部
３１ｂ立ち下がり部
Ａ    塗料
ＧＬ  路面
【図１】
0003731057.tif 000002
【図２】
0003731057.tif 000003
【図３】
0003731057.tif 000004
【図４】
0003731057.tif 000005
【図５】
0003731057.tif 000006